(57)【要約】      （修正有）【課題】粘着防虫テープ及び当該テープを使用する有害生物防除方法を提供する。【解決手段】害虫の防除方法において、特定の害虫を誘引する効果を有する特定な色が付された基材の一面、又は両面に粘着剤、及び／又は殺虫剤が担持されたことを特徴とする粘着テープからなる害虫防除資材、及び当該粘着テープを、防除対象の樹木などに一枚又は複数枚巻き付けたり、吊るしたりすることを特徴とする害虫の防除方法であって、森林に発生する害虫、特にカツラマルカイガラムシ等のカイガラムシに有効である。【選択図】なし【特許請求の範囲】
【請求項１】
害虫を誘引する青色を有する基材の一面又は両面に鉱物性油脂を主成分とする粘着剤が塗工されるとともに、基剤の一面又は両面に殺虫剤が塗工されたことを特徴とする害虫防除用の粘着防虫テープ。
【請求項２】
殺虫剤が、メチダチオン、ブプロフェジン、又はピリフルキナゾンである請求項１に記載の粘着防虫テープ。
【請求項３】
請求項１又は請求項２記載の粘着防虫テープにおいて、殺虫剤が塗布されている面を上にして樹木に巻き付けることを特徴とする防虫方法。
【請求項４】
害虫が、カツラマルカイガラムシである請求項３に記載の防除方法。
【請求項５】
請求項１の粘着防虫テープの使用方法。
【発明の詳細な説明】
【技術分野】
【０００１】
本発明は青色に誘引される害虫、特にカツラマルカイガラムシの生息密度を低下させ、害虫による被害を減少させるためのものである。
【背景技術】
【０００２】
従来、森林、及び農作物に加害する害虫を防除するために殺虫剤の散布が行なわれてきたが、過度の散布は環境汚染を引き起こすおそれがある。また、一部の害虫に関してはフェロモントラップを用いる害虫防除法なども行なわれてはいるが、一般的な防除法として広く利用されるには至らず、効率的な害虫の誘引防除方法が望まれていた。
【先行技術文献】
【特許文献】
【０００３】
【特許文献１】特開２００２‐１７６８９７号
【特許文献２】特開平９‐６７２１０号
【発明の概要】
【発明が解決しようとする課題】
【０００４】
本発明者は、上記の問題について検討した結果、害虫を誘引する色を有する基材に、粘着剤及び殺虫剤を担持させた害虫防除材を用いることにより、効率的な害虫の誘引防除ができることを見出し、本発明を完成させた。
【０００５】
即ち、本発明は、
[１]   害虫を誘引する青色を有する基材の一面又は両面に鉱物性油脂を主成分とする粘着剤が塗工されるとともに、基剤の一面又は両面に殺虫剤が塗工されたことを特徴とする害虫防除用の粘着防虫テープ、  
[２]  殺虫剤が、メチダチオン、ブプロフェジン、又はピリフルキナゾンである[１]に記載の粘着防虫テープ、
[３]  [１]又は[２]の粘着防虫テープにおいて、殺虫剤が塗布されている面を上にして樹木に巻き付けることを特徴とする防虫方法、
[４]  害虫が、カツラマルカイガラムシである[３]の防除方法、
[５] ［１］の粘着防虫テープの使用方法、
に関する。
【課題を解決するための手段】
【０００６】
本発明に使用することができる粘着剤としては、通常に使用されているものであれば特に限定されるものではないが、例えばペトロラタム、マイクロクリスタリンワックスなどの鉱物性油脂を主成分として無機充填剤および粘着付与樹脂を混合したものを使用することができる。これらの鉱物性油脂は、長期間にわたって硬化あるいは液化せず、粘稠性のある非晶質体であることから、長期間にわたって粘着性が劣化することがなく、耐侯性、耐久性に優れた粘着特性を有する。
【０００７】
本発明に使用することができる殺虫剤としては、カメムシ目害虫、特にカイガラムシ類に対して活性を有していればよく、例えばピリプロキシフェン、フェノキシカルブ、メソプレン、ジフルベンズロン、クロルフルアズロン、テフルベンズロン、トリフルムロン、フルフェノクスロン、フルシクロクスロン、ヘキサフルムロン等のベンゾイルウレア化合物、イミダクロプリド、ニテンピラム、アセタミプリド、チアメトキサム、チアクロプリド、クロチアニジン、ジノテフランのネオニコチノイド系殺虫剤、ブプロフェジン、ピリフルキナゾン、及びメチダチオンが挙げられる。中でも、ブプロフェジン、ピリフルキナゾン、及びメチダチオンが好ましい。
【０００８】
本発明において、主に防除対象となるのは森林の樹木、及び農作物に加害する害虫であり、その具体例としてはオンシツコナジラミ（Trialeurodes vaporariorum ）、タバココナジラミ（Bemisia tabaci）、フタテンヒメヨコバイ（Arboridia apicalis）、アブラムシ類、ミカンワタカイガラムシ（Pulvinaria aurantii）、ミカンマルカイガラムシ（Pseudaonidia duplex）、ナシマルカイガラムシ（Comstockaspis perniciosa）、ヤノネカイガラムシ（Unaspis yanonensis）、カツラマルカイガラムシ（Comstockaspis Macroporra）等のカメムシ目害虫、ミナミキイロアザミウマ（Thrips palmi）、チャノキイロアザミウマ（Scirtothrips dorsalis ）、ヒラズハナアザミウマ（Frankliniella intonsa ）等のアザミウマ目害虫、コナガ（Plutella xylostella ）、イチモンジセセリ（Parnara guttata ）等のチョウ目害虫、ウリミバエ（Dacuscucurbitae）、キノコバエ類（Mycetophilidae）、マメハモグリバエ（Liriomyza trifolii）、タマネギバエ（Delia antiqua ）等のハエ目害虫等があげられ、カメムシ目害虫に対して効果を有し、特にカツラマルカイガラムシ（Comstockaspis Macroporra）に対する適応性が高い。
【０００９】
これらの加害害虫は、通常黄色〜青色に誘引される。ここで黄色〜青色とは、黄色、黄緑色、緑色、青緑色、青色といった反射光線の波長が約 ５７８ｎｍ〜約 ４３０ｎｍに対応する色のことである。通常、オンシツコナジラミ、タバココナジラミ、フタテンヒメヨコバイ、チャノキイロアザミウマ、ヒラズハナアザミウマ、イチモンジセセリ、ウリミバエおよびマメハモグリバエは黄色に反応し、コナガは黄色〜緑色で極めて効率的に誘引できる。また、ミナミキイロアザミウマは青色又は白色で、タマネギバエは薄青色又は黄色で誘引できることが知られているが、ミカンワタカイガラムシ、ミカンマルカイガラムシ、ナシマルカイガラムシ、ヤノネカイガラムシ、カツラマルカイガラムシ等の害虫が青色に誘引されることは知られていない。よって本発明で害虫を誘引する色は、青色が好ましい。
【００１０】
本発明において、使用することができる基材としては、通常に使用されているものであれば特に限定されるものではないが、例えば、布、耐水性紙、樹脂、ゴム、ガラス、板、ネット等が挙げられ、樹木に巻き付ける態様から、布、耐水性が好ましい。
【００１１】
本発明の粘着防虫テープには殺虫剤が塗工される。塗工方法としては、通常の方法で行えばよく特に限定されるものではない。例えば当該殺虫剤をキシレン、エチルベンゼンなどのアルキルベンゼン、アセトン、酢酸エチル、メタノール、ヘキサン等の溶剤又はその混合溶剤に溶かし、害虫を誘引する色を有する布、耐水性紙、樹脂、ゴム、ガラス、板、ネット等の基材に、塗布、含浸、吸収、煉込み等の方法により担持することができる。その際に、ペンタデカン、オクタデカンなどの飽和脂肪族炭化水素、１−ウンデセン、１−ヘンエイコセンなどの不飽和脂肪族炭化水素、オクタデシルベンゼン、トリエチルベンゼンなどのアルキルベンゼン、ドデシルナフタレンなどのアルキルナフタレン、オレイン酸、カプリン酸、エナント酸などの脂肪酸、ペンタデカノール、エチルセロソルブ、エチレングリコールメチルエチルアセテートなどのアルコール、ラウリン酸メチル、パルミチン酸エチル、酪酸オクチル、コハク酸ジオクチル、アジピン酸ジデシルなどのエステル、オリーブ油、大豆油、ナタネ油、ヒマシ油、アマニ油、綿実油、パーム油、アボカド油、サメ肝油などの動植物油脂、鉱物油、ポリエチレングリコール、ポリプロピレングリコールおよびそれらの誘導体などの界面活性剤等の添加剤を加えることにより、基材への付着、浸透性を向上させ、また昆虫への浸透、分配を促進させることができる。また、ジブチルヒドロキシトルエン、ブチルヒドロキシアニソール、没食子酸プロピル、ヒドロキノン、トコフェロールなどのフェノール系化合物、アルカノールアミン等のアミン、レシチンなどのリン脂質、アジピン酸、リン酸、ソルビトール、グリセリン、プロピレングリコールなどのアルコール、エステル、ノルジヒドログアイヤレチン酸、グアヤク脂、ゴシポール、セザモール等の酸化防止剤なども添加することができる。殺虫剤の基材上の担持量は、用いられる各種活性化合物の種類、基材の種類等により異なるが、一般には ０．０００１ 〜１００ ｍｇ／ｃｍ２ である。
【００１２】
上記のようにして得られる粘着防虫テープは、害虫が発生、又は移動する場所に生育する樹木の幹、枝に一枚または適当な間隔で複数枚設置して用いられる。その際、殺虫剤の使用量は、殺虫剤の種類、施用時期、施用場所、施用方法、加害害虫の種類、被害の程度等により異なるが、通常１ヘクタール当り、殺虫剤量換算で１ｇ〜５０００ｇ、好ましくは １０ ｇ〜 ５００ｇ程度用いられる。
【００１３】
本発明の粘着防虫テープは、害虫が発生、又は移動する場所にある樹木等に吊るしたり、巻き付けることができるが、樹木に使用する場合は巻き付ける態様が好ましい。
【実施例】
【００１４】
次に、本発明についてより具体的な例を説明するが、本発明はこれらに限定されるものではない。
【００１５】
製造実施例１
鉱物性油脂に無機充填剤および粘着付与樹脂を混合した粘着剤を加熱溶融し、布に含浸させた。別途殺虫剤 ０．４部をアセトン４０部に溶解し、この３１ｍｌを青色布２１ｃｍ×９２ｃｍに塗布した後アセトンを揮散させて有効成分量０．１６ｍｇ／ｃｍ２ の粘着防虫テープを得る。
【００１６】
製造実施例２
鉱物性油脂に無機充填剤および粘着付与樹脂を混合した粘着剤を加熱溶融し、布に含浸させた。別途殺虫剤 ０．４部をアセトン４０部に溶解し、さらにナタネ油 ０．８部を加え、この３１ｍｌを青色布２１ｃｍ×９２ｃｍに塗布した後アセトンを揮散させて有効成分量０．１６ｍｇ／ｃｍ２ の粘着防虫テープを得る。
【００１７】
実施例１
製造実施例１に記載の方法で製造した粘着防虫テープを、害虫が移動してくる樹木に巻き付ける。その後１０日間放置する。
【００１８】
害虫は、本発明の方法に使用される粘着防虫テープの色により誘引され、当該防虫粘着テープに接触することにより補足され、かつ殺虫剤を吸収または付着することにより死に至る。本発明の防虫粘着テープ及び害虫防除方法は、極めて効率的に害虫を補足し、害虫の生息密度を低下させるのに有効な方法である。